(57)【特許請求の範囲】
【請求項１】
所定容量の記録領域を有する記録媒体に録画する番組録画装置であって、
特定の番組を番組単位で録画、または、任意の時間帯による時刻単位で録画する通常録画したデータを、前記記録媒体に記録する通常録画手段と、
複数のチューナを利用して同一時間帯における複数チャンネルの番組を一括して録画する同時録画したデータを、前記記録媒体に記録する同時録画手段と、
前記記録媒体の前記記録領域を、前記通常録画手段が前記通常録画したデータを記録する第１の記録領域と、前記同時録画手段が前記同時録画したデータを記録する第２の記録領域とに区切り、さらに、前記第２の記録領域を、所定のチャンネル数で分割して区切る領域区切り手段と、
前記領域区切り手段に対して、前記分割された第１及び第２の記録領域の容量の変更を指示すると共に、前記第２の記録領域については前記所定のチャンネル数で分割された個々の領域毎の容量の変更を指示する指示手段と、
を具備することを特徴とする番組録画装置。
【請求項２】
前記第１の記録領域の記録残容量が不足したことを検知する残容量検知手段を具備し、
前記残容量検知手段が検知した場合に、前記領域区切り手段は、前記第２の記録領域の容量を減らして前記第１の記録領域の容量を増し、容量が減った前記第２の記録領域を、前記所定のチャンネル数で再び分割して区切ることを特徴とする請求項１記載の番組録画装置。
【請求項３】
前記所定のチャンネル数が変更されたことを検知する数変更検知手段を具備し、
前記数変更検知手段が検知した場合に、前記領域区切り手段は、前記第２の記録領域を、前記変更された所定のチャンネル数で再び分割して区切ることを特徴とする請求項１または２記載の番組録画装置。
【請求項４】
前記領域区切り手段は、前記第１および／または前記第２の記録領域の容量を決定することをユーザに許可することを特徴とする請求項１乃至３の何れか１項に記載の番組録画装置。
【請求項５】
前記所定のチャンネル数は、チャンネルスキャンの結果の、特定の放送波種別において受信するチャンネルの数であることを特徴とする請求項１乃至４の何れか１項に記載の番組録画装置。
【請求項６】
前記領域区切り手段は、前記第２の記録領域を分割して区切る前記所定のチャンネル数を決定することをユーザに許可することを特徴とする請求項１乃至４の何れか１項に記載の番組録画装置。
【請求項７】
前記領域区切り手段は、前記第２の記録領域を、区切られた記録領域それぞれの容量が略同じになるように分割して区切ることを特徴とする請求項１乃至６の何れか１項に記載の番組録画装置。
【請求項８】
前記領域区切り手段は、前記第２の記録領域を、区切られた記録領域それぞれに対して所定のチャンネル毎に同時録画されるデータの圧縮率または転送レートに応じた録画時間が略同じになるように分割して区切ることを特徴とする請求項１乃至６の何れか１項に記載の番組録画装置。
【請求項９】
所定容量の記録領域を有する記録媒体に録画する番組録画方法であって、
特定の番組を番組単位で録画、または、任意の時間帯による時刻単位で録画する通常録画したデータを、前記記録媒体に記録し、
複数のチューナを利用して同一時間帯における複数チャンネルの番組を一括して録画する同時録画したデータを、前記記録媒体に記録し、
前記記録媒体の前記記録領域を、前記通常録画したデータを記録する第１の記録領域と、前記同時録画したデータを記録する第２の記録領域とに区切り、さらに、前記第２の記録領域を所定のチャンネル数で分割して区切り、
前記分割された第１及び第２の記録領域の容量の変更を指示すると共に、前記第２の記録領域については前記所定のチャンネル数で分割された個々の領域毎の容量の変更を指示する、
ことを特徴とする番組録画方法。
【発明の詳細な説明】
【技術分野】
【０００１】
本発明は、番組データを記録媒体に録画する番組録画装置および番組録画方法に関する。
【背景技術】
【０００２】
近年、地上デジタル放送波や衛星デジタル放送波といった放送波、インターネットやＣＡＴＶ（Community  Antenna  TeleVision；ケーブルテレビ；以下ＣＡＴＶと称する）といったネットワークなどの様々な伝送経路により、多くの放送番組が提供されている。そして、これらの放送番組に対して、番組単位で録画する番組録画、または、任意の時間帯による時刻単位で録画する時間録画といった通常録画の処理を実行する番組録画装置が一般的に普及している。
【０００３】
また、このような処理を実行する番組録画装置は、通常録画の処理だけでなく、複数のチューナを使用して、所定の時間帯において同時に放送される複数チャンネルの番組を一括して録画する同時録画の処理も実行することが可能になってきている。そこで以前より、通常録画と同時録画を両立させるための様々な手法が開示されている。
【０００４】
例えば、特許文献１によれば、番組データを一時的に記憶する一時記憶部(リングバッファ)と指定した番組を恒久的に残す恒久記憶部とを有する放送蓄積装置における、記憶領域の一時記憶部と恒久記憶部との配分をユーザにより設定可能とする手法が開示されている。
【０００５】
また、例えば、特許文献２によれば、各チャンネルの映像ストリームを記録する記録再生装置における、リングバッファの記録可能容量を、視聴頻度やユーザ設定に応じてチャンネルごとに変えることを可能とする手法が開示されている。
【先行技術文献】
【特許文献】
【０００６】
【特許文献１】特開２００２−２１８３６４号公報  （図７  段落０１２８）
【特許文献２】特開２００６−２２２７０５号公報  （図１０  段落００４６）
【発明の概要】
【発明が解決しようとする課題】
【０００７】
ところが、特許文献１による手法は、記憶領域に対して一時記憶部と恒久記憶部との領域（容量）の配分のみを設定可能とする手法であった。
また、特許文献２による手法は、リングバッファ（一時記憶部）に対して、チャンネルごとの配分を変更可能とする手法であった。
すなわち、従来は、番組データを記録する記録媒体の総容量に対して、部分的な配分のみに着目した手法しか開示されていなかったので、記録媒体の総容量に対して、様々な要素が考慮された上で効率よく容量配分が決定されていなかった。
【０００８】
そこで、本発明は上述した課題を解決するために、番組データを記録する記録媒体を、ユーザにとって利便性よく目的に応じて処理することができる番組録画装置および番組録画方法を提供することを目的とする。
【課題を解決するための手段】
【０００９】
本発明は上述した課題を解決するため、所定容量の記録領域を有する記録媒体に録画する番組録画装置であって、特定の番組を番組単位で録画、または、任意の時間帯による時刻単位で録画する通常録画したデータを、前記記録媒体に記録する通常録画手段と、複数のチューナを利用して同一時間帯における複数チャンネルの番組を一括して録画する同時録画したデータを、前記記録媒体に記録する同時録画手段と、前記記録媒体の前記記録領域を、前記通常録画手段が前記通常録画したデータを記録する第１の記録領域と、前記同時録画手段が前記同時録画したデータを記録する第２の記録領域とに区切り、さらに、前記第２の記録領域を、所定のチャンネル数で分割して区切る領域区切り手段と、前記領域区切り手段に対して、前記分割された第１及び第２の記録領域の容量の変更を指示すると共に、前記第２の記録領域については前記所定のチャンネル数で分割された個々の領域毎の容量の変更を指示する指示手段と、を具備することを特徴とするものである。
【００１０】
また本発明は上述した課題を解決するため、所定容量の記録領域を有する記録媒体に録画する番組録画方法であって、特定の番組を番組単位で録画、または、任意の時間帯による時刻単位で録画する通常録画したデータを、前記記録媒体に記録し、複数のチューナを利用して同一時間帯における複数チャンネルの番組を一括して録画する同時録画したデータを、前記記録媒体に記録し、前記記録媒体の前記記録領域を、前記通常録画したデータを記録する第１の記録領域と、前記同時録画したデータを記録する第２の記録領域とに区切り、さらに、前記第２の記録領域を所定のチャンネル数で分割して区切り、前記分割された第１及び第２の記録領域の容量の変更を指示すると共に、前記第２の記録領域については前記所定のチャンネル数で分割された個々の領域毎の容量の変更を指示することを特徴とするものである。
【発明の効果】
【００１１】
本発明によれば、番組データを記録する記録媒体を、ユーザにとって利便性よく目的に応じて処理することができる。
【図面の簡単な説明】
【００１２】
【図１】本発明の実施形態に係る映像出力装置であるテレビジョン受像機の構成を示すブロック図。
【図２】本実施形態における、取得された番組の録画処理および、記録媒体の記録領域を所定数の領域に分割して区切る領域区切り処理を実行する各ブロックによるシステム構成図。
【図３】記録媒体の記録領域を所定数の領域に分割して区切る領域区切り処理の動作を説明するためのフローチャート。
【図４】記録媒体の記録領域を所定数の領域に分割して区切る領域区切り処理における、複数の処理ごとのＨＤＤの記録領域の状態を示す概念図。
【図５】記録媒体の記録領域を所定数の領域に分割して区切る領域区切り処理の第１の変形例の動作を説明するためのフローチャート。
【図６】記録媒体の記録領域を所定数の領域に分割して区切る領域区切り処理の第１の変形例における、複数の処理ごとのＨＤＤの記録領域の状態を示す概念図。
【図７】記録媒体の記録領域を所定数の領域に分割して区切る領域区切り処理の第２の変形例における、複数の処理ごとのＨＤＤの記録領域の状態を示す概念図。
【発明を実施するための形態】
【００１３】
以下、本発明における実施形態について図面を用いて説明する。
図１は、本発明の実施形態に係る映像出力装置であるテレビジョン受像機１０の構成を示すブロック図である。
本実施形態に係るテレビジョン受像機１０は、放送波処理部２０−１〜２０−ｎ、外部機器ＩＦ部３１、ネットワークＩＦ部３２、信号処理制御部４０、操作部５１、受光部５２、表示器６１、スピーカ６２、ＨＤＤ７１などで構成されている。また、放送波処理部２０−１〜２０−ｎにはアンテナＡＴが接続されていて、受光部５２はリモコンＲＣと情報のやりとりを行う。
【００１４】
このテレビジョン受像機１０は、複数の放送波処理部２０−１〜２０−ｎなどで選局された複数のチャンネルからの特定の番組を、番組単位で録画する番組録画、または、任意の時間帯による時刻単位で録画する時間録画といった通常録画処理を実行する。また、テレビジョン受像機１０は、複数の放送波処理部２０−１〜２０−ｎなどで選局された複数のチャンネルから所定の時間帯において同時に放送される複数の番組を一括して録画する同時録画処理を実行する。さらに、このテレビジョン受像機１０は、録画される番組データを記録する記録媒体の記録領域を、所定数の領域に分割して区切る領域区切り処理を実行する。
【００１５】
放送波処理部２０−１〜２０−ｎは、アンテナＡＴによって受信された地上または衛星によるデジタル放送波やアナログ放送波に対応するチューナおよびデコーダを有する。この放送波処理部２０−１〜２０−ｎは、アンテナＡＴが受信した信号を取得して、この取得した信号に対して特定チャンネルの選局処理および復調復号処理を施し、番組の映像音声情報や番組関連情報などが含まれる信号を信号処理制御部４０に出力する。なお番組関連情報は、番組に関するチャンネル番号や、放送波、放送局名、番組名、ジャンルなどの情報である。
【００１６】
本実施形態のテレビジョン受像機１０では、地上デジタル放送波に対して処理を施す地上デジタル放送波用のチューナおよびデコーダとして、少なくとも８個の放送波処理部２０−１〜２０−ｎが備えられている。なお、放送波処理部２０−１〜２０−ｎは、地上デジタル放送波用のチューナおよびデコーダでなく、地上アナログ放送波に対して処理を施す地上アナログ放送波用のチューナおよびデコーダや、衛星デジタル放送波または衛星アナログ放送波に対して処理を施す衛星デジタル放送波用または衛星アナログ放送波用のチューナおよびデコーダなどであってもよい。
【００１７】
また、放送波処理部２０−１〜２０−ｎは、単一の放送波種別だけでなく複数の放送波種別が混在してもよく、その数は８個に限定されるものではない。この放送波種別とは、地上デジタル放送波や、地上アナログ放送波、放送衛星（ＢＳ）デジタル放送波、通信衛星（ＣＳ）デジタル放送波といった、物理規格が異なる放送波の種類である。
【００１８】
外部機器ＩＦ部３１は、ＨＤＭＩ（登録商標）規格やＵＳＢ規格、ＩＥＥＥ１３９４規格などの様々な規格に準じた接続部によりテレビジョン受像機１０の外部機器や、外部ＨＤＤやメモリカードなどの記録媒体などに接続する。そして、外部機器ＩＦ部３１は、この接続した外部機器や記録媒体などから提供される複数の番組の映像音声情報や番組関連情報などが含まれる信号を取得して信号処理制御部４０へ出力する。この外部機器ＩＦ部３１は、接続された外部機器から、複数のチャンネルによって個別に提供される複数の番組の映像音声情報や番組関連情報を取得する。また、外部機器ＩＦ部３１が、番組データを記録するための記録媒体などに接続された場合、接続された記録媒体は、記録領域を所定数の領域に分割して区切る領域区切り処理の対象となることがある。
【００１９】
ネットワークＩＦ部３２は、インターネットや、ＬＡＮ、ＷＡＮなどのネットワークに接続し、この接続したネットワークを介して提供される番組の映像音声情報や番組関連情報などが含まれる信号を取得して信号処理制御部４０へ出力する。また、ネットワークＩＦ部３２は、ネットワークを介してテレビジョン受像機１０の外部ＨＤＤやメモリカードなどの記録媒体に接続して、この接続した記録媒体から複数の番組の映像音声情報や番組関連情報などが含まれる信号を読み出して取得し、信号処理制御部４０へ出力する。このネットワークＩＦ部３２は、接続したネットワークを介して、複数のチャンネルによって個別に提供される複数の番組の映像音声情報や番組関連情報を取得する。また、ネットワークＩＦ部３２が、番組データを記録するための記録媒体などに接続された場合、接続された記録媒体は、記録領域を所定数の領域に分割して区切る領域区切り処理の対象となることがある。
【００２０】
操作部５１は、テレビジョン受像機１０を操作する操作入力の情報を受信して信号処理制御部４０へ出力する。同様に受光部５２は、リモコンＲＣからの操作入力の情報を受光（受信）して信号処理制御部４０へ出力する。この操作部５１またはリモコンＲＣは、録画される番組データを記録する記録媒体の記録領域を所定数の領域に分割して区切る処理などに利用される。
【００２１】
信号処理制御部４０は、操作部５１や受光部５２からの操作入力の情報に基づいて、放送波処理部２０−１〜２０−ｎや外部機器ＩＦ部３１、ネットワークＩＦ部３２などから入力された情報に対して、圧縮されたデータの伸張処理などの様々な処理や、番組表を作成するための情報抽出処理を施す。この信号処理制御部４０は、取得された情報に対して、ＭＰＥＧ符号化／復号化演算処理や、映像信号と音声信号の分離処理などの様々な処理を施して表示器６１へ映像信号を出力し、スピーカ６２へ音声信号を出力する。また、信号処理制御部４０はＣＰＵを備えていて、信号処理制御部４０自身に備えられた各モジュールや信号処理制御部４０自身に接続された各モジュールを利用して複数の処理の実行を制御する。
【００２２】
本実施形態では、信号処理制御部４０は、放送波処理部２０−１〜２０−ｎや、外部機器ＩＦ部３１、ネットワークＩＦ部３２などから取得された番組を、テレビジョン受像機１０の内部に備えられたＨＤＤ７１、または外部に接続された外部ＨＤＤなどに録画する。また、この信号処理制御部４０は、ＨＤＤ７１などの記録媒体の記録領域を所定数の領域に分割して区切る処理を実行する。
【００２３】
表示器６１は、信号処理制御部４０から入力された映像信号を表示する表示モジュールである。例えば、表示器６１は、液晶ディスプレイ（Liquid  Crystal  Display；以下、ＬＣＤとも称する）やＰＤＰ（Plasma  Display  Panel）などの薄型ディスプレイである。この表示器６１は、記録媒体の記録領域を所定数の領域に分割して区切るための操作画面などを表示する。
【００２４】
スピーカ６２は、信号処理制御部４０から入力された音声信号を出力する。
ＨＤＤ７１は、放送波処理部２０−１〜２０−ｎや、外部機器ＩＦ部３１、ネットワークＩＦ部３２などから取得された番組の映像音声情報や番組関連情報などを保存（記録）する。また、ＨＤＤ７１は、保存した映像音声情報などの再生処理やコピー処理のために当該情報を出力する。本実施形態では、ＨＤＤ７１は、記録領域を所定数の領域に分割して区切る領域区切り処理の対象となる。
【００２５】
なお、本実施形態は、本発明に係る構成を適用した映像出力装置として、テレビジョン受像機を例とした形態であるが、本実施形態と同様の構造の、ＨＤＤレコーダ、ＤＶＤレコーダ、パーソナルコンピュータ、携帯移動端末などを例とした形態であっても構わない。また、テレビ放送や衛星放送だけでなく、ラジオ放送やインターネット等を用いた有線放送などを受信して映像信号を出力する映像出力装置であるセットトップボックスなどを例とした実施形態であってもよい。
【００２６】
また、本実施形態は、記録媒体としてＨＤＤを例とした形態であるが、メモリカードなどの半導体メモリ、情報記録が可能な光ディスクや光磁気ディスクなどを例とした形態であっても構わない。
【００２７】
このような構成により、本発明の実施形態に係るテレビジョン受像機１０は、放送波処理部２０−１〜２０−ｎなどで選局されたチャンネルの番組を録画する。また、テレビジョン受像機１０は、録画される番組データを記録するための記録媒体の記録領域を所定数の領域に分割して区切る。
【００２８】
そして、これらの処理は、放送波処理部２０−１〜２０−ｎなどから入力された情報に基づいて、主に信号処理制御部４０が実行するものである。
次に、図２を用いて、主として図１で説明した信号処理制御部４０に備えられ、取得された番組の録画処理および、記録媒体の記録領域を所定数の領域に分割して区切る領域区切り処理を実行する各ブロックを説明する。
【００２９】
図２は、本実施形態における、取得された番組の録画処理および、記録媒体の記録領域を所定数の領域に分割して区切る領域区切り処理を実行する各ブロックによるシステム構成図である。
【００３０】
本実施形態に係る信号処理制御部４０は、録画処理部２０１、ＨＤＤ管理部２０２、ＯＳＤ生成部２０３などを備えている。
録画処理部２０１は、放送波処理部２０−１〜２０−ｎで選局された複数のチャンネルからの特定の番組をＨＤＤ７１に録画する。この録画処理部２０１は、取得された番組を番組単位で録画する番組録画、または、任意の時間帯による時刻単位で録画する時間録画といった通常録画処理を実行する。また、録画処理部２０１は、放送波処理部２０−１〜２０−ｎで選局された複数のチャンネルから所定の時間帯において同時に放送される複数の番組を一括して録画する同時録画処理を実行する。さらに、録画処理部２０１は、データ属性情報に応じて、ＨＤＤ管理部２０２から入力されたＨＤＤ７１などの記録領域のアドレスや容量などに関する情報に基づいて、ＨＤＤ７１などの所定の記録領域に録画する。データ属性情報は、実行する録画処理が通常録画処理か同時録画処理か、または、実行する同時録画処理において何れのチャンネルの番組を録画するか、といった情報である。また、録画処理部２０１は、外部機器ＩＦ部３１やネットワークＩＦ部３２などから取得した番組を録画してもよく、さらに、外部機器ＩＦ部３１やネットワークＩＦ部３２などに接続された外部ＨＤＤなどの記録媒体に録画してもよい。
【００３１】
ＨＤＤ管理部２０２は、操作部５１やリモコンＲＣなどからの操作入力の情報や、特定の放送波種別における受信するチャンネルに関する情報などに基づいて、データ属性情報毎のＨＤＤ７１の記録領域の容量配分を決定する。そして、ＨＤＤ管理部２０２は、決定した容量配分に基づいて、ＨＤＤ７１の記録領域を所定数の領域に分割して区切り、この区切られたそれぞれの記録領域の利用状況を管理する。また、ＨＤＤ管理部２０２は、区切られたＨＤＤ７１の記録領域それぞれのアドレスや容量などに関する情報を録画処理部２０１へ出力する。さらに、ＨＤＤ管理部２０２は、利用状況の管理に基づく記録容量に関する検知の情報をＯＳＤ生成部２０３へ出力し、ＨＤＤ７１の記録領域の特定の領域の容量を変更するように再び分割して区切る。これは、ＨＤＤ管理部２０２が、ＨＤＤ管理部２０２自身に対して、特定の領域の容量を変更するように指示していることを意味している。ＨＤＤ管理部２０２は、テレビジョン受像機１０の内部に備えられたＨＤＤ７１だけでなく、外部に接続された外部ＨＤＤに対しても前述した様々な処理を施す。
【００３２】
ＯＳＤ生成部２０３は、ＨＤＤ管理部２０２が、データ属性情報毎のＨＤＤ７１の記録領域の容量配分を決定または変更するためのＯＳＤ画面を生成し、このＯＳＤ画面の映像信号を表示器６１へ出力する。また、ＯＳＤ生成部２０３は、ＨＤＤ管理部２０２から、特定のデータ属性情報に対する記録領域の記録残容量が不足したことを検知した情報を入力された場合に、この検知の内容を提示するメッセージ画面をＯＳＤ画面として生成して表示器６１に表示させる。
【００３３】
このようなシステムの構成により、本発明の実施形態に係る信号処理制御部４０は、取得された番組の録画処理および、記録媒体の記録領域を所定数の領域に分割して区切る領域区切り処理を実行する。
【００３４】
次に、図３を用いて、図２で説明した各ブロックによって実行される、記録媒体の記録領域を所定数の領域に分割して区切る領域区切り処理の動作を説明する。
図３は、記録媒体の記録領域を所定数の領域に分割して区切る領域区切り処理の動作を説明するためのフローチャートである。
まず、ＯＳＤ生成部２０３が、ＨＤＤ７１の記録領域全体に対する、通常録画により録画される番組データを記録する通常録画用領域と、同時録画により録画される番組データを記録する同時録画用領域との容量配分を決定するためのＯＳＤ画面を生成して表示器６１に表示させる。そして、テレビジョン受像機１０の利用者が、操作部５１やリモコンＲＣなどによりこのＯＳＤ画面を操作し、この操作入力の情報がＨＤＤ管理部２０２へ入力される。ＨＤＤ管理部２０２は、入力された情報に基づいて、ＨＤＤ７１の記録領域全体に対する、通常録画用領域と同時録画用領域との容量配分を決定する（Ｓ３０１）。また、ＨＤＤ管理部２０２は、決定した容量配分に基づいて、ＨＤＤ７１の記録領域全体を通常録画用領域と同時録画用領域とに分割して区切る（Ｓ３０２）。そして、ここまでの動作は、記録領域全体に対する区切り処理として、後続する処理とは独立して実行されることができる。
【００３５】
次に、ＨＤＤ管理部２０２は、チャンネルスキャンなどによって決定された、特定の放送波種別における受信するチャンネルに関する情報に基づいて、ＨＤＤ７１の記録領域のうちの同時録画用領域に対する、領域区切り処理に関する条件を決定する（Ｓ３０３）。そして、ＨＤＤ管理部２０２は、決定された条件に基づいて、特定の放送波種別においてチャンネルスキャンされたチャンネル数で同時録画用領域を分割して区切る（Ｓ３０４）。また、前述した記録領域全体に対する区切り処理より後の、ここまでの動作は、同時録画用領域に対する区切り処理として、前述した記録領域全体に対する区切り処理および、後続する処理とは独立して実行されることができる。
【００３６】
チャンネルスキャンが再び実行された場合、つまり再スキャンされた場合に、特定の放送波種別における受信するチャンネル数が変更されることがある。このような、特定の放送波種別における受信するチャンネルに関する情報が変更されたことを、ＨＤＤ管理部２０２が検知した場合（Ｓ３０５のＹｅｓ）、ＨＤＤ管理部２０２は、変更されたチャンネル数などの条件に基づいて、この変更されたチャンネル数で同時録画用領域を再び分割して区切る（Ｓ３０６）。一方、特定の放送波種別における受信するチャンネルに関する情報が変更されない場合（Ｓ３０５のＮｏ）、ＨＤＤ管理部２０２は、特に何も処理しない。そして、前述した同時録画用領域に対する区切り処理より後の、ここまでの動作は、同時録画用領域に対する再区切り処理として、前述した記録領域全体に対する区切り処理および同時録画用領域に対する区切り処理とは独立して実行されることができる。
【００３７】
また、本実施形態では、同時録画用領域に対する区切り処理は、チャンネルスキャンなどによって決定された、特定の放送波種別における受信するチャンネルに関する情報に基づいて実行されるものであった。しかし、同時録画用領域に対する区切り処理が、チャンネルスキャンではなく、テレビジョン受像機１０の利用者からの操作入力によって決定された、特定の放送波種別における受信するチャンネルに関する情報に基づいて実行されてもよい。
【００３８】
さらには、同時録画用領域に対する区切り処理が、チャンネルスキャンやテレビジョン受像機１０の利用者による操作入力によって決定されたチャンネルに関する情報ではなく、特定の放送波種別における現在までの視聴履歴または視聴頻度によって決定されたチャンネルに関する情報に基づいて実行されてもよい。
【００３９】
そして、このような動作による記録媒体の記録領域を所定数の領域に分割して区切る領域区切り処理は、記録領域全体に対する区切り処理、同時録画用領域に対する区切り処理、および同時録画用領域に対する再区切り処理の３つの処理によって構成されている。
【００４０】
次に、図４を用いて、図３のフローチャートで説明した、記録媒体の記録領域を所定数の領域に分割して区切る領域区切り処理における、複数の処理ごとのＨＤＤ７１の記録領域の状態を説明する。
【００４１】
図４は、記録媒体の記録領域を所定数の領域に分割して区切る領域区切り処理における、複数の処理ごとのＨＤＤ７１の記録領域の状態を示す概念図である。
本実施形態において、領域区切り処理における複数の処理とは、図３のフローチャートで説明した、記録領域全体に対する区切り処理、同時録画用領域に対する区切り処理、および同時録画用領域に対する再区切り処理の３つの処理を示している。
【００４２】
図４（ａ）は、記録媒体の記録領域を所定数の領域に分割して区切る領域区切り処理において、ＨＤＤ７１の記録領域に対して、まだ処理が施されていない状態を示す概念図である。
【００４３】
すなわち、ＨＤＤ７１の記録領域全体の容量は、１Ｔ（１０００Ｇ）Ｂとなっている。
図４（ｂ）は、記録領域全体に対する区切り処理が施された後の状態を示す概念図である。
具体的には、図４（ｂ）において斜線部で示す通常録画用領域は４００ＧＢの容量で、無印部で示す同時録画用領域は６００ＧＢの容量で、ＨＤＤ７１の記録領域全体が、それぞれの領域に分割されて区切られている。
【００４４】
図４（ｃ）は、同時録画用領域に対する区切り処理が施された後の状態を示す概念図である。
具体的には、特定の放送波種別においてチャンネルスキャンされたチャンネル数がＣＨ１〜６までの６つであるので、同時録画用領域が６つの記録領域に分割されて区切られている。また、同時録画用領域の６つの記録領域それぞれは、それぞれの容量が略同じになるように区切られる。この例では、それぞれの記録領域の容量は、略６００／６＝１００ＧＢとなっている。また、通常録画用領域は、容量が４００ＧＢの一領域として区切られたままである。
【００４５】
図４（ｄ）は、再スキャンにより受信するチャンネル数が変更されて、同時録画用領域に対する再区切り処理が施された後の状態を示す概念図である。
具体的には、図４（ｄ）に示した概念図では、特定の放送波種別においてチャンネルスキャンされたチャンネル数はＣＨ１〜６までの６つであったが、再スキャンにより、チャンネル数がＣＨ１〜４までの４つになった例に適用される。つまり、同時録画用領域が、再スキャンにより変更されたチャンネル数である４つの記録領域に分割されて区切られる。また、このときも、同時録画用領域で区切られた４つの記録領域それぞれは、区切られた記録領域それぞれの容量が略同じになるように区切られている。それぞれの記録領域の容量は、略６００／４＝１５０ＧＢとなっている。
【００４６】
（第１の変形例）
次に、図５を用いて、図２で説明した各ブロックによって実行される、記録媒体の記録領域を所定数の領域に分割して区切る領域区切り処理の第１の変形例の動作を説明する。
【００４７】
図５は、記録媒体の記録領域を所定数の領域に分割して区切る領域区切り処理の第１の変形例の動作を説明するためのフローチャートである。
本第１の変形例の動作は、図３に示したフローチャートと略同様であるが、同時録画用領域に対する再区切り処理が実行される契機において異なる。これ以降では、図３に示したフローチャートと同様な箇所の説明は省略または簡略化し、主に異なる点について詳細に説明する。
【００４８】
まず、前述したように、記録領域全体に対する区切り処理に引き続き、同時録画用領域に対する区切り処理が実行される。すなわち、ＨＤＤ７１の記録領域全体が、通常録画用領域と同時録画用領域とに分割されて区切られ（Ｓ５０１〜Ｓ５０２）、さらに、同時録画用領域が、特定の放送波種別においてチャンネルスキャンされたチャンネル数で分割されて区切られる（Ｓ５０３〜Ｓ５０４）。
【００４９】
そして、ＨＤＤ管理部２０２が、通常録画用領域の記録残容量が不足したことを検知した場合（Ｓ５０５のＹｅｓ）、ＨＤＤ管理部２０２は、まず、同時録画用領域の容量を所定量減らして、通常録画用領域の容量を増すように、記録領域全体を再度分割して区切る。また、ＨＤＤ管理部２０２は、容量を減らす前の通常録画用領域の分割数（チャンネル数）で、容量が減った同時録画用領域を再び複数に分割して区切る（Ｓ５０６）。また、ＯＳＤ生成部２０３が、通常録画用領域の記録残容量が不足したことを提示するＯＳＤ画像を表示させる。一方、通常録画用領域の記録残容量が不足したことが検知されない場合（Ｓ５０５のＮｏ）、ＨＤＤ管理部２０２は特に何も処理しない。
【００５０】
このように、同時録画用領域に対する再区切り処理でなく、ＨＤＤ７１の記録領域全体に対する再区切り処理が実行されることもある。
次に、図６を用いて、図５のフローチャートで説明した、記録媒体の記録領域を所定数の領域に分割して区切る領域区切り処理の第１の変形例における、複数の処理ごとのＨＤＤ７１の記録領域の状態を説明する。
【００５１】
図６は、記録媒体の記録領域を所定数の領域に分割して区切る領域区切り処理の第１の変形例における、複数の処理ごとのＨＤＤ７１の記録領域の状態を示す概念図である。
【００５２】
本第１の変形例において、領域区切り処理における複数の処理は、図５のフローチャートで説明した、記録領域全体に対する区切り処理、同時録画用領域に対する区切り処理、および同時録画用領域に対する再区切り処理の３つの処理である。また、本第１の変形例における各処理ごとの概念図は、図４に示した複数の概念図に対して、同時録画用領域に対する再区切り処理が実行される契機と、この契機に応じた再区切り処理とが実行された後の状態において異なる。これ以降では、図４に示した複数の概念図と同様な箇所の説明は省略または簡略化し、主に異なる点について詳細に説明する。
【００５３】
図６（ａ）〜図６（ｃ）は、それぞれが、ＨＤＤ７１の記録領域に対してまだ処理が施されていない状態、記録領域全体に対する区切り処理が施された後の状態、同時録画用領域に対する区切り処理が施された後の状態における概念図であり、図４に示したものと同様であるので説明は省略する。
【００５４】
図６（ｄ）は、ＨＤＤ管理部２０２が通常録画用領域の記録残容量が不足したことを検知して、同時録画用領域に対する再区切り処理が施された後の状態を示す概念図である。
【００５５】
具体的には、図６（ｄ）に示した概念図は、通常録画用領域の記録残容量が不足したことが検知されて、同時録画用領域の容量が１００ＧＢ分減らされて、通常録画用領域の容量が１００ＧＢ増された例に適用される。つまり、５００ＧＢの容量に減らされた同時録画用領域に対して、容量を減らされる前の通常録画用領域の分割数であるチャンネル数の６で再び分割して区切る。このときも、同時録画用領域で再度分割された６つの記録領域それぞれは、区切られた記録領域それぞれの容量が略同じになるように区切られている。そして、それぞれの記録領域の容量は、略６００／６＝１００ＧＢであったのが、略５００／６＝８３．３ＧＢに減っている。
【００５６】
（第２の変形例）
次に、図７を用いて、記録媒体の記録領域を所定数の領域に分割して区切る領域区切り処理の第２の変形例における、複数の処理ごとのＨＤＤ７１の記録領域の状態を説明する。
【００５７】
図７は、記録媒体の記録領域を所定数の領域に分割して区切る領域区切り処理の第２の変形例における、複数の処理ごとのＨＤＤ７１の記録領域の状態を示す概念図である。
【００５８】
本第２の変形例における各処理ごとの概念図は、図４に示した複数の概念図に対して、同時録画用領域に対する区切り処理において、区切られた記録領域に引き当てられる各チャンネルごとの記録容量が略同じになるように区切るのではなく、各チャンネルに記録するデータの圧縮率または転送レートに応じた録画時間が略同じになるように区切る点で異なる。これ以降では、図４に示した複数の概念図と同様な箇所の説明は省略または簡略化し、主に異なる点について詳細に説明する。
【００５９】
図７（ａ），図７（ｂ）は、それぞれが、ＨＤＤ７１の記録領域に対してまだ処理が施されていない状態、記録領域全体に対する区切り処理が施された後の状態であり、図４に示したものと同様であるので説明は省略する。
【００６０】
図７（ｃ）は、同時録画用領域に対する区切り処理が施された後の状態を示す概念図である。
具体的には、同時録画用領域は、特定の放送波種別における受信するチャンネルに関する情報に基づいて、６つの記録領域に分割される。このとき、同時録画用領域の６つの記録領域それぞれは、チャンネルごとに設定された、記録するデータの圧縮率または転送レートに応じた録画時間が略同じになるように区切られる。
【００６１】
この例では、チャンネル１，２で記録されるデータは他のチャンネルよりも、圧縮率は低く、または転送レートは高く設定されて、チャンネル１，２の容量は、他のチャンネルよりも大きく区切られる。また、チャンネル３，４で記録されるデータは他のチャンネルよりも、圧縮率は高く、または転送レートは低く設定されて、チャンネル３，４の容量は、他のチャンネルよりも小さく区切られる。さらに、チャンネル５，６で記録されるデータの圧縮率または転送レートは、チャンネル１，２とチャンネル３，４との略中間となり、チャンネル５，６の容量は、チャンネル１，２とチャンネル３，４との略中間の量で区切られる。そして、チャンネル１〜６間の容量の比率が３：３：１：１：２：２となるように、それぞれの記録領域が区切られる。また、通常録画用領域は、容量が４００ＧＢの一領域として区切られたままである。
【００６２】
図７（ｄ）は、再スキャンにより受信するチャンネル数が変更されて、同時録画用領域に対する再区切り処理が施された後の状態を示す概念図である。
具体的には、図７（ｄ）に示した概念図は、特定の放送波種別において受信するチャンネル数は６つであったが、再スキャンにより、チャンネル数がＣＨ１〜４までの４つになった例に適用される。そして、再スキャンにより変更されたチャンネル数である４つの記録領域に、各チャンネル毎に設定された、記録するデータの圧縮率または転送レートに応じた録画時間が略同じになるように区切られる。この例では、チャンネル１〜４に設定された、記録するデータの圧縮率または転送レートに応じた記録時間が略同じとなるように、チャンネル１〜４間の容量の比率が３：３：１：１で、それぞれの記録領域が区切られる。すなわち、チャンネル１〜４それぞれに割当てられる容量（録画時間）は増えるが、容量の比率は、同時録画用領域に対する再区切り処理の前後で同一である。
【００６３】
（第３の変形例）
次に、記録媒体の記録領域を所定数の領域に分割して区切る領域区切り処理の第３の変形例を説明する。
本第３の変形例は、例えば、図３のフローチャートにおいて、記録領域全体に対する区切り処理と同時録画用領域に対する区切り処理との順序が逆で実行される例である。
【００６４】
すなわち、まずは、ＨＤＤ７１の記録領域全体に対して、受信するチャンネルに関する情報に基づいて、所定数に分割された同時録画用領域が割当てられる。そして、ＨＤＤ７１の記録領域全体から同時録画用領域を差し引いた残りの領域が、通常録画用領域として割当てられる例である。
【００６５】
以上説明したように本実施形態によれば、テレビジョン受像機１０に備えられたＨＤＤ管理部２０２は、ＨＤＤ７１などの記録媒体の記録領域に対して、記録領域全体に対する区切り処理、同時録画用領域に対する区切り処理、および同時録画用領域に対する再区切り処理などの処理を施す。また、ＨＤＤ管理部２０２は、これら複数の処理を様々な条件に基づいて実行する。さらに、これら複数の処理を実行するための様々な条件は、複数の手法によって決定されることになるので、番組データを記録する記録媒体を、ユーザにとって利便性よく目的に応じて処理することができる。
【００６６】
また本発明は、上述した実施形態に限定されるものではなく、本発明の要旨を変えない範囲において、種々の変更、改変等が可能である。
【符号の説明】
【００６７】
１０…テレビジョン受像機、２０−１〜２０−ｎ…放送波処理部、３１…外部機器ＩＦ部、３２…ネットワークＩＦ部、４０…信号処理制御部、５１…操作部、５２…受光部、６１…表示器、６２…スピーカ、７１…ＨＤＤ、ＲＣ…リモコン、２０１…録画処理部、２０２…ＨＤＤ管理部、２０３…ＯＳＤ生成部。
【図１】
0005481139.tif 000002
【図２】
0005481139.tif 000003
【図３】
0005481139.tif 000004
【図４】
0005481139.tif 000005
【図５】
0005481139.tif 000006
【図６】
0005481139.tif 000007
【図７】
0005481139.tif 000008